(57)【特許請求の範囲】
【請求項１】
１以上の傾斜レールを有した支持構造体と、
前記支持構造体に対して前記傾斜レールに沿って移動させるために前記支持構造体に可動に設けられた可動ユーザ支持体と、
前記支持構造体に対して前記傾斜レールに沿って移動させるために前記支持構造体に可動に設けられた可動足支持体と、
ハンドルと、
前記ハンドルと少なくとも可動足支持体とに作動可能に設けられ、ユーザが前記ハンドルを引いて動かすことで、少なくとも前記可動足支持体を、前記支持構造体に対して前記傾斜レールに沿って、前記ユーザに向かう前記傾斜レールの高位方向に移動させ、それにより、ユーザの体及び足双方が、前記ハンドルの移動により、前記支持構造体に対して前記傾斜レールの高位方向に移動し、これにより、少なくとも前記ユーザの体重の一部によってエクササイズ抵抗が提供される、ローイング組立体と、
を備えることを特徴とするローイングエクササイズ装置。
【請求項２】
前記可動ユーザ支持体及び前記可動足支持体が、互いに独立していることを特徴とする請求項１に記載のローイングエクササイズ装置。
【請求項３】
１以上の前記傾斜レールが、全体的に直線状である、部分的に曲がっている、傾斜角一定である及び傾斜角調節可能である、のうちの少なくとも１つであることを特徴とする請求項２に記載のローイングエクササイズ装置。
【請求項４】
前記ローイング組立体が、前記ハンドルに作動可能に設けられた、１以上のケーブル、１以上のプーリ、１以上のレバー、１以上のカム及び１以上のギアのうちの少なくとも１つと、少なくなくとも前記可動足支持体と、を有し、前記ハンドルの移動を用いて、求心性及び遠心性エクササイズを提供することを特徴とする請求項１に記載のローイングエクササイズ装置。
【請求項５】
前記可動ユーザ支持体が、シート、滑動板及び滑動台のうちの少なくとも１つであることを特徴とする請求項１に記載のローイングエクササイズ装置。
【請求項６】
１以上の前記傾斜レールが両端部を有し、前記可動足支持体が、前記両端部のうちの一方に隣接して１以上の前記傾斜レールにロック可能であり、それにより、当該ローイングエクササイズ装置のうち前記可動足支持体に隣接している端部を下にして当該ローイングエクササイズ装置を立たせることによって、当該ローイングエクササイズ装置を格納可能とすることを特徴とする請求項１に記載のローイングエクササイズ装置。
【請求項７】
前記ハンドルが、それぞれがユーザの各手用である一対のハンドルを有することを特徴とする請求項１に記載のローイングエクササイズ装置。
【請求項８】
前記可動足支持体が、それぞれがユーザの各足用である一対の可動足支持体を有することを特徴とする請求項１に記載のローイングエクササイズ装置。
【請求項９】
前記ローイング組立体が、１以上の抵抗増加機構を有し、当該ローイングエクササイズ装置でのローイングエクササイズ抵抗を増加させることを特徴とする請求項１に記載のローイングエクササイズ装置。
【請求項１０】
１以上の前記抵抗増加機構が、１以上のバネと、１以上の弾性構造体と、１以上のウエート保持構造体及び１以上のウエートと、を有することを特徴とする請求項９に記載のローイングエクササイズ装置。
【請求項１１】
前記ローイング組立体が、１以上の動作抵抗機構を有することを特徴とする請求項１に記載のローイングエクササイズ装置。
【請求項１２】
１以上の前記動作抵抗機構が、１以上のフライホイール、１以上の電磁装置、１以上の油圧装置、１以上の空圧装置、１以上の摩擦装置、及び、１以上の螺旋巻回プーリを有することを特徴とする請求項１１に記載のローイングエクササイズ装置。
【請求項１３】
前記可動足支持体に設けられた柱と、前記ハンドル及び前記ローイング組立体に作動可能に設けられ、前記柱を通して延在する少なくとも１つのケーブルと、をさらに有し、ユーザが前記ハンドルを引いて動かすと前記柱が前記傾斜レールに沿って移動することを特徴とする請求項１に記載のローイングエクササイズ装置。
【請求項１４】
前記柱が、垂直柱、角度付柱及び長い柱のうちの少なくとも１つのであることを特徴とする請求項１３に記載のローイングエクササイズ装置。
【請求項１５】
請求項１に記載のローイングエクササイズ装置を用いて漕ぐ方法であって、
乗降位置で、前記可動ユーザ支持体を用いて前記可動ユーザ支持体上で人の体を支持する第１ステップと、
乗降位置で、人の脚を前記可動足支持体上で曲げた状態で、前記可動足支持体を用いて人の脚を受ける第２ステップと、
人の腕をほぼ真っ直ぐにした状態で、前記ハンドルを用いて人の手を受ける第３ステップと、
前記第３ステップの後、人が手で前記ハンドルを引っ張って人の腕を曲げる第４ステップであって、これにより前記ローイング組立体が、前記支持構造体に対して、人の脚を受けている前記可動足支持体を前記乗降位置から最終位置まで移動させ、求心性ローイングエクササイズを提供する第４ステップと、 
前記第４ステップにより前記可動足支持体が移動するにしたがって人が脚を伸ばす第５ステップであって、これにより、前記可動ユーザ支持体が前記乗降位置から前記最終位置まで移動し、前記可動ユーザ支持体が前記可動足支持体から離間する第５ステップと、
を備えることを特徴とする方法。
【請求項１６】
人の腕を真っ直ぐにしつつ手で前記ハンドルを保持する第６ステップであって、これにより、前記ローイング組立体が、前記支持構造体に対して、人の足を受けている前記可動足支持体を前記最終位置から前記乗降位置まで移動させ、遠心性ローイングエクササイズを提供する第６ステップと、
前記第６ステップにより前記可動足支持体が移動するにしたがって人の脚を曲げる第７ステップであって、これにより、前記最終位置から前記乗降位置まで移動している前記可動ユーザ支持体が、前記可動足支持体に向けて移動する第７ステップと、
をさらに備えることを特徴とする請求項１５に記載の方法。
【請求項１７】
前記支持構造体が、水平面に対して傾斜しており、それにより、前記ローイングエクササイズ装置の求心性及び遠心性ローイングエクササイズ双方が、ほぼ全体重抵抗によって提供されていることを特徴とする請求項１６に記載の方法。
【発明の詳細な説明】
【技術分野】
【０００１】
本発明は、ローイング(rowing)エクササイズ装置に関する。
【発明の概要】
【課題を解決するための手段】
【０００２】
本発明の一態様は、ローイングエクササイズ装置に関する。ローイングエクササイズ装置は、支持構造体と、支持構造体に対して移動させるために支持構造体に可動に設けられた可動ユーザ支持体と、支持構造体に対して移動させるために支持構造体に可動に設けられた可動足支持体と、ハンドルと、ハンドルと少なくとも可動足支持体とに動作式に設けられ、ハンドルの移動により、少なくとも可動足支持体を支持構造体に対して移動させ、それにより、ユーザの体と両足との双方が、ハンドルの移動により、支持構造体に対して移動する、ローイング組立体と、を備える。
【０００３】
すぐ前で説明した本発明の一態様にかかる１以上の実施は、以下のもののうちの１以上を有する。可動ユーザ支持体及び可動足支持体は、互いに独立している。支持構造体は、１以上の傾斜レールを有し、それにより、エクササイズ抵抗は、少なくとも部分的に、ユーザの体重によって提供される。１以上の傾斜レールは、全体的に直線状である、部分的に曲がっている、一定である及び調節可能である、のうちの少なくとも１つである。ローイング組立体は、１以上のケーブルと１以上のプーリとのうちの少なくとも一方を有しており、１以上のレバーを有しても有さなくてもよく、１以上のカムを有しても有さなくてもよく、ハンドル及び少なくとも１つの可動足支持体に動作式に設けられた１以上のギアを有しても有さなくてもよく、ハンドルの移動を用いて求心性(concentric)及び遠心性(eccentric)エクササイズを提供する。可動ユーザ支持体は、シート、滑動板及び滑動台のうちの少なくとも１つである。支持構造体は、両端部を有する１以上のレールであり、可動足支持体は、両端部のうちの一方に隣接して１以上のレールにロック可能であり、それにより、ローイングエクササイズ装置は、可動足支持体に隣接するその端部を下にして立たせることによって、格納され得る。ハンドルは、一対のハンドルを有し、それぞれは、ユーザの各手用である。（堅固に接続されたバー状ハンドルに限定されない。ケーブルにある独立したハンドルであり得る。）可動足支持体は、一対の可動足支持体（例えば自転車の足ペダルのような足ペダル）を有し、それぞれは、ユーザの各足用である。ローイング組立体は、両端部がハンドルでまたはシートでまたは足支持体でまたはレール支持構造体のうちの１以上で終端した１以上のケーブルを有する。１以上のケーブルは、同様に、一端部を移動するハンドルまたは台それぞれへ終端し得る。１以上のケーブルは、フレームから足支持体へ、ハンドルへそしてシートに戻るループを有する。ローイング組立体は、ローイングエクササイズ装置のローイングエクササイズ抵抗を増加させるための１以上の抵抗増加機構を有してもよいまたは有さなくてもよい。１以上の抵抗増加機構には、１以上のバネと、１以上の弾性構造体と、１以上のウエート保持構造体及び１以上のウエートと、が挙げられる。ローイング組立体は、１以上の動作抵抗機構を有する。１以上の動作抵抗機構には、１以上のフライホイール、１以上の電磁装置、１以上の油圧装置、１以上の圧空装置、１以上の摩擦装置、及び、１以上の螺旋巻回プーリが挙げられる。柱及び少なくとも１つのケーブルは、ハンドルと柱を通って延在するローイング組立体とに動作式に設けられている。柱は、垂直柱、角度付柱、及び、長い柱のうちの少なくとも１つである。ローイングエクササイズ装置を用いて漕ぐ方法は、乗降位置で、可動ユーザ支持体を用いて可動ユーザ支持体上で人の体を支持するステップと、乗降位置で、人の両脚を可動足支持体上で曲げた状態で、可動足支持体を用いて人の両脚を受けるステップと、人の両腕をほぼ真っ直ぐにした状態で、ハンドル組立体を用いて人の両手を受けるステップと、を備え、ローイング組立体が、人が両手を用いてハンドル組立体を引っ張って人の両腕を曲げることによって���支持構造体に対して、人の両脚を受けている可動足支持体を乗降位置から最終位置まで移動させ、求心性ローイングエクササイズを提供し、可動足支持体が移動する際に人が両脚を伸ばすことによって、乗降位置から最終位置まで移動している可動ユーザ支持体が、可動ユーザ支持体を可動足支持体から離間するように移動させる。この方法は、さらに、ローイング組立体が、支持構造体に対して、人の両足を受けている可動足支持体を最終位置から乗降位置まで移動させ、人の両腕を真っ直ぐにしつつ両手でハンドル組立体を保持することによって、遠心性ローイングエクササイズを提供し、可動足支持体が移動するにしたがって人の両脚を曲げることによって、最終位置から乗降位置まで移動している可動ユーザ支持体が、可動ユーザ支持体を可動足支持体に向けて移動させる。支持構造体は、水平面に対して傾斜しており、それにより、ローイングエクササイズ装置の求心性及び遠心性ローイングエクササイズ双方は、ほぼ全体重抵抗によって提供されている。
【図面の簡単な説明】
【０００４】
【図１】一実施形態にかかるローイングエクササイズ装置を示す前方斜視図である。
【図２】図１のローイングエクササイズ装置を示す頂面図である。
【図３】図１のローイングエクササイズ装置を示す底面図である。
【図４】図１のローイングエクササイズ装置を示す後面図である。
【図５】図１のローイングエクササイズ装置を示す正面図である。
【図６】図１のローイングエクササイズ装置を示す右側面である。
【図７Ａ】高傾斜構成にある図１のローイングエクササイズ装置を示す左側面である。
【図７Ｂ】低傾斜構成にある図１のローイングエクササイズ装置を示す左側面である。
【図８】搬送／梱包構成で示したローイングエクササイズ装置を示す左側面図である。
【図９】格納構成で示したローイングエクササイズ装置を示す左側面図である。
【図１０】図１のローイングエクササイズ装置のローイングシステムの構成部材を示す斜視図であって、下側開始位置にあるユーザを示す、図である。
【図１１】図１のローイングエクササイズ装置のローイングシステムの構成部材を示す斜視図であって、上側最終位置にあるユーザを示す、図である。
【図１２】一実施形態にかかるローイングエクササイズ装置を示す簡略図である。
【図１３】一実施形態にかかる可変傾斜レールを有するローイングエクササイズ装置を示す簡略化した右側面図である。
【図１４】１以上の実施形態にかかるローイングエクササイズ装置のローイング組立体を示す簡略図である。
【図１５】１以上の実施形態にかかるローイングエクササイズ装置の可動ユーザ支持体を示す簡略図である。
【図１６】１以上の実施形態にかかるローイングエクササイズ装置の可動足支持体を示す簡略図である。
【図１７】１以上の実施形態にかかるローイングエクササイズ装置の支持構造体を示す簡略図である。
【図１８】別の実施形態にかかるローイングエクササイズ装置の構成部材を示す斜視図であって、いくつかの構成部材が下側開始位置にあることを示す、図である。
【図１９】図１８のローイングエクササイズ装置の構成部材を示す斜視図であって、いくつかの構成部材が上側最終位置にあることを示す、図である。
【図２０】別の実施形態にかかるローイングエクササイズ装置を示す側面図であって、ローイングエクササイズ装置が図９と比較して別の格納構成にあることを示し、格納したハンドルを示す、図である。
【図２１】別の実施形態にかかるローイングエクササイズ装置の構成部材を示す斜視図であって、ローイングエクササイズ装置のケーブルがハンドル組立体以外の場所に終端していることを示す、図である。
【発明を実施するための形態】
【０００５】
最初に図１から図７Ｂを参照して、一実施形態にかかるローイングエクササイズ装置１０５を説明する。
【０００６】
ローイングエクササイズ装置１０５は、可動ユーザ支持体（例えばシート）１５５を備え、この支持体は、ローラ２３１を介して支持構造体１５４に転がり可能に取り付けられた下側の相対的に平坦なセクション２１０及びある角度付セクション２１２を有する。支持構造体１５４は、一対の傾斜レール１５６を有しており、これら傾斜レールは、傾斜レールの下側端部においてクロスバー１５８に固定されており、調節可能支持組立体５５によって選択した傾斜角度で傾斜した方向付けで支持されている。
【０００７】
調節可能支持組立体５５は、レール１５６を支持しており、調節可能であり、それにより、レール１５６は、所望の傾斜角度（例えば高傾斜（図７Ａ）、低傾斜（図７Ｂ））で延在して所望の抵抗を提供する。調節可能支持組立体５５は、脚５６と、脚５６間に延在するクロスバー６２と、を備える。その上側端部において、調節可能支持組立体５５は、回動軸６３においてレール１５６に回動可能に接続されている。ノブ６６によって作動されるバネ負荷ロックピン１５７は、所望の傾斜角度で調節可能支持組立体５５をロックするために使用される。ユーザは、単に、ノブ６６を作動させてロックピン１５７を解放し、その後、調節可能支持組立体５５の角度を調節し、そして、ノブ６６を解放して調節可能支持組立体５５を所望の傾斜角度でロックし得る。
【０００８】
エクササイズ装置１０５の反対側の端部には、クロスバー１５８がレール１５６の下側端部に連結されている。クロスバー１５８は、車輪１５９を有しており、ユーザがエクササイズ装置１０５を部屋中で転がすことを可能とする。車輪１５９は、折畳サスペンション車輪組立体の一部であり得、サスペンション車輪１５９は、各別のバネ組立体によって支持支柱に対して下方に付勢され、それにより、車輪１５９は、一致して上下動する。サスペンション車輪１５９は、ユーザがエクササイズ装置１０５上にいるときにはクロスバー１５８内へ上方に後退するが、ユーザがエクササイズ装置１０５上にいないときには下方へ配置される。車輪１５９を展開すると、ユーザは、エクササイズ装置１０５の反対側を持ち上げてエクササイズ装置１０５を引っ張ってまたは押してエクササイズ装置１０５を部屋中で転がすことによって、エクササイズ装置１０５を部屋中で滑らせ得るまたは転がし得る。
【０００９】
ユーザ２４２を図示しローイングエクササイズ装置１０５の多くの構成部材を図示していない図１０及び図１１をさらに参照して、ローイング組立体２２０を説明する。ローイング組立体２２０は、固定上側プーリ２２２と、固定上側支持体２２４に固定されたケーブル２３８の一端部と、を有する。図１８及び図１９は、固定上側支持体２２４に替えてシート／往復台の前方のところにケーブルの一端部を固定することを示す。可動足支持体（例えば足往復台）２３０は、ローラ２３２を介してレール１５６に沿って移動する。図１１において最もよく図示するように、１以上のバネ２３３は、一端部において可動足支持体２３０の底面に、反対側の端部においてクロスバー１５８に、接続されている。１以上のバネ２３３は、特に図１１に示す運動範囲の端部において、ローイング抵抗を増加させる。可動足支持体２３０は、角度付支持塔／柱２３４を有する。角度付支持塔２３４は、第２プーリ２３６及び頂部／第３プーリ２３９を収容し、一対の固定外側足プレート／ペダル１６５を塔２３４の両側で支持し、コンピュータディスプレイ組立体２３７を支える。別の実施形態において、足プレート１６５は、傾け可能であり、それにより、角度は、足プレート１６５上にあるユーザの両足の向きで自由に調節されて踵を曲げることを可能とする。ディスプレイ組立体２３７は、基本メトリックス（例えば時間、速度、距離）を表示する。一実施形態では、図１０における第３プーリ２３９に磁石を設けることによって、速度がディスプレイ組立体２３７内のセンサによって判断される。別のまたはさらなる実施形態では、図１０における第３プーリ２３９に一対の磁石を設けることによって、ストローク長さが（同様に）ディスプレイ組立体２３７にある一対のセンサによって判断される。別のまたはさらなる実施形態では、負荷センサを固定上側プーリ２２２に設けることによって、他の測定情報と併せて、消費カロリーが判断されてディスプレイ組立体２３７に表示される。ケーブル２３８は、プーリ２２２、２３６を通って延在しており、一端部においてハンドル組立体２４０を有し、反対側の端部において可動足支持体２３０に接続されている。ハンドル組立体２４０は、図示のような単一の直線状バーハンドル、単一の湾曲ハンドル、それぞれが各手のためのものである（例えば別個のケーブルを有する）一対の別個のハンドル、または、他の漕ぐタイプのハンドルであり得る。
【００１０】
図１０及び図１１をさらに参照して、使用時のローイングエクササイズ装置１０５を説明する。図１０において、可動ユーザ支持体１５５は、乗／降位置で示されている。乗／降位置は、ユーザ２４２がローイングエクササイズ装置１０５に座ってローイングトレーニングセッションを開始し、ローイングセッションを完了した後にエクササイズ装置１０５から降りる場合の可動ユーザ支持体１５５と可動足支持体２３０との位置である。図１０に示す乗／降位置において、ユーザ２４２は、うずくまった姿勢にあり、両脚／両膝は、実質的に曲がり、両腕は、両手がハンドル組立体２４０を保持した状態でほぼ真っ直ぐであり、胴は、レール１５６に対してほぼ垂直である。漕ぐために、ユーザは、後方へ体を傾け、ハンドル組立体２４０（及びケーブル２３８）を胴に向けて引き、両足で足プレート１６５を押して両脚を真っ直ぐにする。図１１に示すように、ケーブル２３８が固定長であるので、ハンドル組立体２４０と可動足支持体２３０との間のケーブル２３８の長さが増加するにしたがって、固定上側プーリ２２２と可動足支持体２３０との間のケーブル２３８の長さは減少し、ユーザがハンドル組立体２４０／ケーブル２３８を引っ張る速度に比例した速度で、可動足支持体２３０を傾斜レール１５６上で上方に移動させる。調節され得るレール１５６の角度は、図７Ａ及び図７Ｂに示すように、ユーザ２４２が可動足支持体２３０、ユーザ２４２及び可動ユーザ支持体１５５を図１１に示す最終位置まで傾斜レール１５６上で上へ引っ張って打ち勝たなければならない抵抗量（ユーザの体重の割合）を決定する。図１１の最終位置で示すように、従来の平らな／水平なローイング機械とは異なり、ローイングエクササイズ装置１０５が傾いている性質により、ユーザの胴を（従来の平らな／水平なローイング機械と比較して）より後方へ傾けるので、ユーザの背中に関してより良好な漕ぐ姿勢をできるようにする。
【００１１】
図１０に示す乗／降位置に戻すため、ユーザ２４２は、同時に、両腕を伸ばし、胴を前方に曲げ、両脚を曲げる。これにより、ハンドル組立体２４０と可動足支持体２３０との間のケーブル２３８の長さを減少させ、固定上側プーリ２２２と可動足支持体２３０との間のケーブル２３８の長さを増加させ、可動足支持体２３０を図９に示す位置まで傾斜レール１５６で下方へ移動させる。ユーザ２４２が漕ぐにしたがって、傾斜レール１５６で上下動し、ユーザ２４２は、実質的な抵抗が引っ張るときにのみ生じる従来の平らな／水平なローイング機械とは異なり、引っ張る（レール１５６上で上方移動する）ときと戻る（レール１５６で下方移動する）ときとの双方でほぼ同じ量の抵抗を受ける。このため、ローイングエクササイズ装置１０５は、遠心性及び求心性双方の抵抗を用いた唯一の全体重抵抗型のローイング機械という点で、独自である。漕いでいる間、足プレート１６５がレール１５６上を上下動しているので、ユーザの両足は、移動している。レール１５６上を上下動するユーザの移動は、ユーザ２４２に独特な「乗り心地(riding)」経験を与える。
【００１２】
図８は、搬送／梱包構成（例えばローイングエクササイズ装置１０５を搬送する／輸送するための構成）にあるローイングエクササイズ装置１０５を示す。この構成において、角度付支持塔２３４は、レール１５６とほぼ平行であり、ディスプレイ組立体２３７は、下向きに配設されている。
【００１３】
図９は、格納構成にあるローイングエクササイズ装置１０５を示しており、この格納構成において、ローイングエクササイズ装置１０５は、クロスバー１５８及び角度付支持塔２３４の上側端部によって水平面で支持されている。この構成において、調節可能支持組立体５５は、支持レール１５６に隣接するようにかつ支持レールと平行になるように前方へ回動されてロックされる。
【００１４】
図２０は、別のローイングエクササイズ装置格納構成を示しており、この格納構成において、ローイングエクササイズ装置は、調節可能支持組立体と（１以上の）レールの端部とによって水平面で支持されている。
【００１５】
ローイングエクササイズ装置１０５は、過去のローイングエクササイズ装置と比較して、複数の利点を提供する。
【００１６】
１．２つの独立したスライド可能な／転がり可能な／可動な支持台（例えば傾斜レール上にあるシート１５５、可動足支持体２３０）は、ハンドル運動から両足運動への任意の比率または可変比率で、両足及びシートにおける相対身体位置の運動を介して、共に動作し、抵抗を提供する。これは、任意の数のケーブル、プーリ、レバー及び任意の組合せによって実現され得る。
【００１７】
２．全身の運動（漕ぐ運動中に身体が動くことに加えて足が動く）は、より楽しく、両足の位置を固定している漕ぎ手よりもより刺激的な感覚を提供する。
【００１８】
３．ローイングエクササイズ装置１０５での求心性及び遠心性エクササイズは、両足の位置を固定している漕ぎ手の運動を模倣している典型的な求心性のみの反復運動よりも健康的である。
【００１９】
４．人の体重を抵抗として有するまたは有さないにかかわらず、求心性及び遠心性負荷双方を有する唯一のローイング機械である。
【００２０】
さらに図１２から図２０を参照すると、１以上の実施形態及び／または実施にかかるローイングエクササイズ装置１０５は、以下のもののうちの１以上を有する。可動ユーザ支持体１５５は、シート、滑動板または滑動台である。レール１５６は、単独レール、一対のレールまたは他の数のレールである。レール１５６は、可変斜面上での抵抗を変化させるために湾曲している（例えば、エクササイズに関する進行が、さまざまなユーザに関してレールのさまざまな点でさまざまな傾斜上でなされることを可能とする。）支持組立体５５は、調節可能ではない（例えば、固定した傾斜）。固定した傾斜の構成に関して、クロスバー１５８にある車輪１５９は、後脚５６を地面から離れるように上昇させると係合するように取り付けられ得、ローイングエクササイズ装置１０５を別の場所まで転がす。クロスバー１５８は、車輪１５９を有していない。図９に示すように、ローイングエクササイズ装置１０５は、装置の端部を下にして立たせることによって、格納される。ローイングエクササイズ装置１０５は、足プレート／ペダル１６５をレール１５６に沿う最適位置でロックするためのロック２５０を有し、格納するために、ローイングエクササイズ装置１０５をその端部を下にして立たせる。図２０を参照すると、ハンドル組立体２４０は、同様に、より小型な水平格納のために及びより容易な搬送のためにローイングエクササイズ装置が格納構成にあるときに、足プレート／ペダル１６５のうちの一方または双方を保持するために使用され得る。ローイング組立体２２０は、１以上の上側プーリ２２２を有し得る。ローイング組立体２２０は、複数のプーリ（例えばより多いまたはより少ないプーリ）、プーリ構造、プーリ配置及び／または図示したもの以外のリンケージの組合せを有し得、固定フレーム／レール１５６、足プレート／ペダル１６５、可動ユーザ支持体１５５及びハンドル組立体２４０間に異なる運動比を形成する。これらは、同様に、可動ユーザ支持体１５５と両足との間にかかる負荷を変化させてエクササイズの効率を上げる。ローイング組立体２２０は、ユーザ２４２がハンドル組立体２４０／ケーブルを引く速度と傾斜レール１５６上を上方へ移動する可動足支持体２３０の速度との比率を任意の比率へ調節するように、構成され得る。ローイング組立体２２０は、プーリ２６０、ケーブル２７０、カム２８０、レバー２９０、ギア３００または他の機構の組合せを有し得、２つの人的押付点の相対運動を達成し、これら２つの人的押付点は、シート及び両足と、図１８及び図１９に示す実施形態にかかるローイングエクササイズ装置で示すように、２つのケーブル２３８及び別個のハンドル２４０と一致してまたは単独で片手または両手を用いた２つの引張点と、である。別個のハンドル２４０それぞれは、ローイング組立体２２０の別個のケーブルに対応し得る、または、ハンドル２４０それぞれは、ローイング組立体２２０の単一のケーブルに結合する別個のケーブル／リンクに取り付けられ得る。これら組合せは、快適で安全かつ有益なエクササイズ抵抗を形成する。これら組合せは、３つの負荷点のいずれかによって抵抗をより大きくするまたは小さくするために、ユーザによって変更され得るまたは選択され得る。図２１に示すように、ケーブル２３８は、ハンドル組立体２４０以外の場所で終端し得る。バネ２３３は、捩れバネ、引張コイルバネ及び／または圧縮バネのような任意のタイプのバネであり得る。これにより、ユーザが運動範囲の端部でより大きな力を実現することをいくらか補助するが、これは、ユーザの背の高さによる。あるいは、ローイング組立体２２０は、１以上のバネ２３３を有さない。ローイング組立体２２０は、１以上のウエート抵抗機構３０６を有し、抵抗を増加させるまたは変化させる。例えば、ローイング組立体２２０は、さまざまな移動構造体（例えば可動ユーザ支持体１５５及び／または可動足支持体２３０）及び固定フレーム／レール１５６に対して、バネ（例えば捩れバネ、引張コイルバネ、圧縮バネ）１３３、バンジー弾性コード、または、バネとして／バネのように使用される１以上の他の材料（例えばエアバッグなど）を有し得る。バンジー抵抗は、運動に合わせられているまたは運動にわたって固定されているすなわち一定である。バンジー抵抗は、ローイングエクササイズ装置１０５に乗っているまたは装置から降りている間に、より多いまたはより少ない数のバンドを選択することによって、ユーザにより変化される。バンジー抵抗は、レバーまたは他の制御装置を用いて伸長距離または梃作用を調節することによって、変化される。ローイング組立体２２０は、フライホイール３３０、電磁装置３４０、油圧装置３５０、圧空装置３６０及び／または摩擦装置３７０のような１以上の動的速度異存力生成装置（すなわち動作抵抗機構）３２０を有し得、水面で漕ぐ／ボート遊びをするような水の抵抗を正確に複製する。ローイング組立体２２０は、可動ユーザ支持体１５５の後方にかつ／または可動ユーザ支持体の側面に沿って、ウエート／ウエート保持構造体（ウエート／保持体）３８０（例えばポケットまたは他のウエート保持構造体）を有し得、重量を加えて両脚にさらに負荷を生じさせる。ローイング組立体２２０は、足プレート／足ペダルの後方に、前方に、かつ／または足プレート／足ペダルの側面に沿って、ウエート／ウエート保持構造体（ウエート／保持体）３８０を有し得、両腕にさらに負荷を生じさせる。ローイング組立体２２０は、螺旋巻回プーリ３９０を有し得、可変抵抗を提供するためにストロークの関数として比率を変化させる。頂部ハンドル／第３プーリ２３９は、柱を有さない、または、垂直柱、角度付柱もしくは長い柱を有する。ハンドル組立体２４０は、角度付支持塔２３４から緩くぶら下がっている。角度付支持塔２３４は、不使用時にハンドル組立体２４０を収容するキャッチを有する。レール１５６の上側端部は、単一のまたは二重の支柱／脚支持組立体５５によって支持されており、この支持組立体は、調節可能であり得るまたは固定され得る。傾斜レール１５６は、複式、単式及び／または湾曲型である。レールは、同様に、水平であり得る。水平配向において、抵抗全ては、体重を除く本明細書で述べた手段の任意の組合せによって形成される。ローイングエクササイズ装置１０５は、コンピュータ／コンピュータディスプレイ組立体２３７を有し、この組立体は、同様に、本明細書で述べたメトリックスすべてを表示する。コンピュータディスプレイ組立体２３７は、角度付支持塔／柱２３４にある、または、ハンドル組立体２４０が偶発的に飛ぶことに対して保護するために下側位置に配設されている。可動ユーザ支持体１５５は、２つのパッド付面、１つのパッド及び１つの発泡体、または、プラスチック背部支持体を有して形成されている。可動ユーザ支持体１５５は、ケーブル２３８に接続され得、そのため、可動ユーザ支持体は、ケーブル２３８によって可動足支持体２３０に向けて引っ張られる。
【００２１】
上記図面は、本発明に関する例示的な構成を図示しており、図面は、本発明に含まれ得る特徴及び機能性を理解する際に補助するようになっている。本発明は、図示した構造または構成に限定されないが、さまざまな別の構造及び構成を用いて実施され得る。さらに、さまざまな例示的な実施形態及び実施例に関して本発明を上述したが、理解すべきことは、さまざまな特徴及び機能性を個別の実施形態のうちの１以上で説明し、これら個別の実施形態を用いて、さまざまな特徴及び機能性を説明したが、これに替えて、このような実施形態を説明したか及びこのような特徴が説明した実施形態の一部として提示されているかにかかわらず、単独でまたは組み合わせて、さまざまな特徴及び機能性を本発明にかかる別の実施形態のうちの１以上に適用し得ること、である。このため、本発明の大きさ及び範囲は、特に以下の特許請求の範囲において、上述した例示的な実施形態のいずれにも限定されないべきである。
【００２２】
本明細書で使用した用語及び語句並びにその変形物は、他の方法で明確に述べない限り、限定することとは反対にオープンエンドとして解釈されるべきである。前述の例として、用語「有する」は、「これに限らず、有する」などを意味するように読まれるべきであり、用語「例」は、検討している例示的な事例ではあるが排他的な事例または事例の限定的なリストを提供するために使用され、「慣行の」、「従来の」、「標準的な」、「公知の」及び同様の意味の用語のような形容詞は、所定の時点までに説明された事項にまたは所定の時点で利用可能な事項に限定されると解釈されないべきであるが、その替わりに、現在または未来の時点で利用可能であり得る慣行の、従来の、通常の、または標準的な技術を包含すると読むべきである。同じく、接続詞「及び(and)」で連結された一群の用語は、これら用語それぞれまたはこれら用語全てがグループの中にあることを必要とするように読むべきではなく、むしろ、他の方法で明確に述べていない限り、「及び／または(and/or)」として読むべきである。同様に、接続詞「または(or)」で連結された一群の用語は、そのグループの中で相互に排他的であることを必要とするように読むべきではなく、むしろ、他の方法で明確に述べていない限り、「及び／または(and/or)」として読むべきである。さらに、本開示の事項、要素または構成部材を単数形で説明し得るまたは請求項に記載し得るが、複数形は、単数形に限定することを明確に述べない限り、本開示の範囲内にあると意図される。いくつかの事例において「１以上」、「少なくとも」、「限定されないが」または他の同様の語句のような広げる言葉及び語句があることは、このような広げる語句がなくてもよい場合に、狭くする場合を意図しているまたは必要とすることを意味していると読まないべきである。
【符号の説明】
【００２３】
５５  調節可能支持組立体，脚支持組立体，支持組立体、５６  後脚，脚、６２  クロスバー、６３  回動軸、６６  ノブ、１０５  ローイングエクササイズ装置，エクササイズ装置、１３３  バネ、１５４  支持構造体、１５５  可動ユーザ支持体，シート、１５６  支持レール，傾斜レール，レール、１５７  バネ負荷ロックピン，ロックピン、１５８  クロスバー、１５９  サスペンション車輪，車輪、１６５  足プレート，ペダル、２１０  セクション、２１２  角度付セクション、２２０  ローイング組立体、２２２  固定上側プーリ，上側プーリ，プーリ、２２４  固定上側支持体、２３０  可動足支持体、２３１  ローラ、２３２  ローラ、２３３  バネ、２３４  角度付支持塔，塔，柱、２３６  第２プーリ，プーリ、２３７  コンピュータディスプレイ組立体，ディスプレイ組立体、２３８  ケーブル、２３９  第３プーリ、２４０  ハンドル組立体，ハンドル、２４２  ユーザ、２５０  ロック、２６０  プーリ、２７０  ケーブル、２８０  カム、２９０  レバー、３００  ギア、３０６  ウエート抵抗機構、３２０  動的速度異存力生成装置、３３０  フライホイール、３４０  電磁装置、３５０  油圧装置、３６０  圧空装置、３７０  摩擦装置、３８０  ウエート保持構造体、３９０  螺旋巻回プーリ
【図１】
0006679587.tif 000002
【図２】
0006679587.tif 000003
【図３】
0006679587.tif 000004
【図４】
0006679587.tif 000005
【図５】
0006679587.tif 000006
【図６】
0006679587.tif 000007
【図７Ａ】
0006679587.tif 000008
【図７Ｂ】
0006679587.tif 000009
【図８】
0006679587.tif 000010
【図９】
0006679587.tif 000011
【図１０】
0006679587.tif 000012
【図１１】
0006679587.tif 000013
【図１２】
0006679587.tif 000014
【図１３】
0006679587.tif 000015
【図１４】
0006679587.tif 000016
【図１５】
0006679587.tif 000017
【図１６】
0006679587.tif 000018
【図１７】
0006679587.tif 000019
【図１８】
0006679587.tif 000020
【図１９】
0006679587.tif 000021
【図２０】
0006679587.tif 000022
【図２１】
0006679587.tif 000023